(57)【要約】  モバイル機器がランダムアクセス手続を含むハンドオーバを実行するとき、ハンドオーバインタラプトを減らすための方法及び装置がここに記載されている。ハンドオーバが要求されるとき、ランダムアクセス機会と関連するタイムオフセットが決定される。タイムオフセットは、ターゲットアクセスポイントのフレームタイミングに対するランダムアクセス機会のタイミングに関する。タイムオフセットに基づき、たとえば、モバイル機器、サービスアクセスポイント又は移動管理エンティティ等のネットワーク構成要素は、ハンドオーバ開始時刻を決定する。ハンドオーバは、通常、ハンドオーバの実行の開始を次のランダムアクセス機会の開始と合わせるために、前記決定された開始時刻に実行され、これにより、ハンドオーバインタラプトが低減される。【選択図】図２
2010522464.tif 000002
【特許請求の範囲】
【請求項１】
無線ネットワークにおいてモバイル機器のハンドオーバ中のサービスインタラプトを減らす方法であって、
前記方法は、
ランダムアクセス機会に関連するタイムオフセットを決定し、
前記タイムオフセットに基づき前記モバイル機器のハンドオーバを実行するための開始時刻を決定することを備える方法。
【請求項２】
前記開始時刻を決定することは、移動管理エンティティで開始時刻を決定することを含む請求項１に記載の方法。
【請求項３】
さらに、前記決定された開始時刻にハンドオーバを実行するように前記モバイル機器に指示するために、前記移動管理エンティティからの前記決定された開始時刻を含むハンドオーバメッセージを前記モバイル機器に送信する請求項２に記載の方法。
【請求項４】
さらに、前記ハンドオーバメッセージを受け取り次第ハンドオーバを実行するように前記モバイル機器に指示するために、前記決定された開始時刻に前記移動管理エンティティから前記モバイル機器にハンドオーバメッセージを前記モバイル機器に送信する請求項２に記載の方法。
【請求項５】
前記開始時刻を決定することは、前記移動管理エンティティでターゲットアクセスポイントから前記タイムオフセットを受信し、前記受信されたタイムオフセットに基づき前記移動管理エンティティで前記開始時刻を決定することを含む請求項２に記載の方法。
【請求項６】
前記開始時刻を決定することは、さらに、
前記移動管理エンティティで相対フレームタイミングを決定し、前記相対フレームタイミングはサービスアクセスポイントのフレームタイミングに対して前記ターゲットアクセスポイントの相対フレームタイミングに関するものであり、
前記相対フレームタイミング及び前記受信されたタイムオフセットに基づき前記移動管理エンティティで前記開始時刻を決定することを含む請求項５に記載の方法。
【請求項７】
前記相対フレームタイミングを決定することは、前記移動管理エンティティで前記モバイル機器からの前記相対フレームタイミングを受信することを含む請求項６に記載の方法。
【請求項８】
前記開始時刻を決定することは、前記モバイル機器で前記開始時刻を決定することを含む請求項１に記載の方法。
【請求項９】
前記タイムオフセットを決定することは、前記モバイル機器でターゲットアクセスポイントからのタイムオフセットを受信し、前記開始時刻を決定することは、前記受信されたタイムオフセットに基づき前記開始時刻を決定することを含む請求項８に記載の方法。
【請求項１０】
さらに、前記決定された開始時刻に前記モバイル機器で前記ハンドオーバを実行することを含む請求項８に記載の方法。
【請求項１１】
前記開始時刻を決定することは、サービスアクセスポイントで前記開始時刻を決定することを含む請求項１に記載の方法。
【請求項１２】
さらに、前記決定された開始時刻にハンドオーバを実行するように前記モバイル機器に指示するために、前記サービスアクセスポイントから前記モバイル機器に前記決定された開始時刻を含むハンドオーバメッセージを送信することを含む請求項１１に記載の方法。
【請求項１３】
さらに、ハンドオーバメッセージを受け取り次第ハンドオーバを実行するように前記モバイル機器に指示するために、前記サービスアクセスポイントから前記モバイル機器に前記決定された開始時刻にハンドオーバメッセージを送信することを含む請求項１１に記載の方法。
【請求項１４】
前記開始時刻を決定することは、
前記サービスアクセスポイントで前記モバイル機器から相対フレームタイミングを受信し、前記相対フレームタイミングは前記サービスアクセスポイントのフレームタイミングに対するターゲットアクセスポイントのフレームタイミングに関するものであり、
前記サービスアクセスポイントで前記ターゲットアクセスから前記タイムオフセットを受信し、
前記受信された相対フレームタイミングと前記受信されたタイムオフセットに基づき前記サービスアクセスポイントで前記開始時刻を決定することを含む請求項１１に記載の方法。
【請求項１５】
前記開始時刻を決定することは、
前記サービスアクセスポイントに通知された参照タイムに対するターゲットアクセスポイントのフレームタイミングを前記サービスアクセスポイントで前記モバイル機器から受信し、
相対フレームタイミングを決定し、前記相対フレームタイミングは前記サービスアクセスポイントのフレームタイミングに対する前記ターゲットアクセスポイントの前記受信されたフレームタイミングに関するものであり、
前記サービスアクセスポイントで前記ターゲットアクセスポイントから前記タイムオフセットを受信し、
前記相対フレームタイミング及び前記受信されたタイムオフセットに基づき前記サービスアクセスポイントで前記開始時刻を決定する
ことを含む請求項１１に記載の方法。
【請求項１６】
前記タイムオフセットは、前記ランダムアクセス機会及びターゲットアクセスポイントのフレームタイミングの間のオフセットを含む請求項１に記載の方法。
【請求項１７】
無線ネットワークのネットワーク構成要件中のプロセッサであって、
前記プロセッサは、
ランダムアクセス機会と関連するタイムオフセットを決定し、
前記モバイル機器のハンドオーバ中のサービスインタラプトを減らすために前記タイムオフセットに基づきモバイル機器のハンドオーバを実行するための開始時刻を決定するように構成されたプロセッサ。
【請求項１８】
前記ネットワーク構成要素は、移動管理エンティティを含む請求項１７に記載のプロセッサ。
【請求項１９】
前記プロセッサは、さらに、前記決定された開始時刻にハンドオーバを実行するように前記モバイル機器に指示するために、前記移動管理エンティティから前記モバイル機器へ前記決定された開始時刻を含むハンドオーバメッセージを送信するように構成された請求項１８に記載のプロセッサ。
【請求項２０】
前記プロセッサは、さらに、前記ハンドオーバメッセージを受け取り次第ハンドオーバを実行するように前記モバイル機器に指示するために、前記決定された開始時刻に前記移動管理エンティティから前記モバイル機器にハンドオーバメッセージを送信するように構成された請求項１８に記載のプロセッサ。
【請求項２１】
前記プロセッサは、前記移動管理エンティティでターゲットアクセスポイントから前記タイムオフセットを受信し、前記受信されたタイムオフセットに基づき前記移動管理エンティティで前記開始時刻を決定することによって前記開始時刻を決定する請求項１８に記載のプロセッサ。
【請求項２２】
前記プロセッサは、さらに、
前記移動管理エンティティで相対フレームタイミングを決定し、前記相対フレームタイミングは、サービスアクセスポイントのフレームタイミングに対する前記ターゲットアクセスポイントのフレームタイミングに関するものであり、
前記相対フレームタイミング及び前記受信されたタイムオフセットに基づき前記移動管理エンティティで前記開始時刻を決定する
ことによって前記開始時刻を決定する請求項２１に記載のプロセッサ。
【請求項２３】
前記プロセッサは、前記モバイル機器から前記相対フレームタイミングを受信することによって前記相対フレームタイミングを決定する請求項２２に記載のプロセッサ。
【請求項２４】
前記ネットワーク構成要素は、前記モバイル機器を含む請求項２７に記載のプロセッサ。
【請求項２５】
前記プロセッサは、ターゲットアクセスポイントから前記タイムオフセットを受信することによって前記タイムオフセットを決定し、かつ、前記プロセッサは、前記受信されたタイムオフセットに基づき前記開始時刻を決定することによって前記開始時刻を決定する請求項２４に記載のプロセッサ。
【請求項２６】
前記プロセッサは、さらに、前記決定された開始時刻に前記モバイル機器で前記ハンドオーバを実行するように構成された請求項２４に記載のプロセッサ。
【請求項２７】
前記ネットワーク構成要素は、サービスアクセスポイントを含む請求項１７に記載のプロセッサ。
【請求項２８】
前記プロセッサは、さらに、前記決定された開始時刻にハンドオーバを実行するように前記モバイル機器に指示するために、前記サービスアクセスポイントから前記モバイル機器へ前記決定された開始時刻を含むハンドオーバメッセージを送信するように構成された請求項２７に記載のプロセッサ。
【請求項２９】
前記プロセッサは、さらに、前記ハンドオーバメッセージを受け取り次第ハンドオーバを実行するように前記モバイル機器に指示するために、前記決定された開始時刻に前記サービスアクセスポイントから前記モバイル機器にハンドオーバメッセージを送信する請求項２７に記載のプロセッサ。
【請求項３０】
前記プロセッサは、
前記モバイル機器から相対フレームタイミングを受信し、前記相対フレームタイミングは前記サービスアクセスポイントのフレームタイミングに対するターゲットアクセスポイントのフレームタイミングに関するものであり、
前記ターゲットアクセスポイントから前記タイムオフセットを受信し、
前記受信された相対フレームタイミング及び前記受信されたタイムオフセットに基づき前記開始時刻を決定する
ことにより前記開始時刻を決定する請求項２７に記載のプロセッサ。
【請求項３１】
前記プロセッサは、
前記サービスアクセスポイントに通知された参照タイミングに対するターゲットアクセスポイントのフレームタイミングを前記モバイル機器から受信し、
相対フレームタイミングを決定し、前記相対フレームタイミングは前記サービスアクセスポイントのフレームタイミングに対する前記ターゲットアクセスポイントの前記受信されたフレームタイミングに関するものであり、
前記ターゲットアクセスポイントから前記タイムオフセットを受信し、
前記相対フレームタイミング及び前記受信されたタイムオフセットに基づき前記開始時刻を決定する
ことにより前記開始時刻を決定する請求項２７に記載のプロセッサ。
【請求項３２】
前記タイムオフセットは、前記ランダムアクセス機会及びターゲットアクセスポイントのフレームタイミング間のオフセットを含む請求項１７に記載のプロセッサ。
【発明の詳細な説明】
【技術分野】
【０００１】
本発明は、一般にモバイル機器のハンドオーバに関し、より詳しくはハンドオーバインタラプトタイムに関する。
【背景技術】
【０００２】
ハンドオーバは、モバイル機器がネットワーク内でセル間を移動する際、そのモバイル機器の制御を１つの基地局又はアクセスポイントから他へ切り替えるために通信ネットワークにて使用される手続である。従来から、モバイル機器は、サービスしている基地局及び１又はそれ以上の近隣の基地局からの信号強度を測定し、信号強度測定レポートを移動管理エンティティ（ＭＭＥ：ｍｏｂｉｌｉｔｙ  ｍａｎａｇｅｍｅｎｔ  ｅｎｔｉｔｙ）に送信する。
【０００３】
移動管理エンティティは、いつハンドオーバを行うかを決定し、ハンドオーバを始動させるためにハンドオーバコマンドをモバイル機器に送信する。“ハード”ハンドオーバの場合、モバイル機器は、ターゲット基地局との接続を確立する前にサービス中の基地局からの接続を切断する。モバイル機器のサービス中の基地局との接続が終了した時点では、モバイル機器は、ターゲット基地局との接続が確立されるまでデータを送受信できない。モバイル機器がデータを送受信できない時間は、ハンドオーバインタラプト（handover interruption）と呼ばれている。
【発明の概要】
【発明が解決しようとする課題】
【０００４】
モバイル機器は、通常、ターゲット基地局のサービスを得るためにあるランダムアクセス機会にランダムアクセス手続を実行するであろう。いくつかのシステムでは、ランダムアクセス機会は、予め定められた時間間隔で発生する。サービス中の基地局からの接続を切断した後、モバイル機器は、ターゲット基地局とのランダムアクセスを試みるために次のランダムアクセス機会を待つ。モバイル機器がサービス中の基地局からの接続を切断してからランダムアクセスを試みるまでの時間は、ハンドオーバコマンドが受信される時刻に依存して変わるであろう。待つのは、０とＴＲＡとの間で変わってもよい。ここで、ＴＲＡは、二つの連続するランダムアクセス機会の間の最大間隔である。モバイル機器は、この待ち時間中サービス外にいるであろう。
【課題を解決するための手段】
【０００５】
本発明は、モバイル機器がターゲットアクセスポイントとのサービスを得るためにランダムアクセス手続の実行を要求するとき、ハンドオーバインタラプトを減らすための方法及び装置を提供する。各種実施形態によれば、ターゲットセルにおいてランダムアクセス機会のタイミングは、ハンドオーバの開始時刻を決定することと考えられる。一実施形態の例によれば、ハンドオーバインタラプトを減らす方法は、ターゲットセルにおけるランダムアクセス機会に関連するタイムオフセットを決定し、前記タイムオフセットに基づきハンドオーバのための開始時刻を決定する。この方法では、ハンドオーバのための開始時刻は、ハンドオーバインタラプトを減らすために、ランダムアクセス機会の直前まで遅らせてもよい。一実施形態の例では、ターゲットセルにおけるターゲットアクセスポイントは、サービスアクセスポイント又は移動管理エンティティにタイムオフセットを送信し、それからハンドオーバのための開始時刻を計算し、ハンドオーバコマンドに前記開始時刻を含めてもよい。他の実施形態の例では、ターゲットセルにおけるターゲットアクセスポイントは、モバイル機器にタイムオフセットを送信し、ハンドオーバのための開始時刻を計算してもよい。いずれにせよ、モバイル機器は、計算された開始時刻までハンドオーバの実行を遅らせる。
【図面の簡単な説明】
【０００６】
【図１】本発明における無線ネットワークの一例を示す。
【図２】本発明において所与の開始時刻でハンドオーバを実行するための処理の一例を示す。
【図３】本発明におけるハンドオーバ処理の一例を示す。
【図４】本発明におけるハンドオーバ処理の他の例を示す。
【図５】本発明におけるハンドオーバ処理の他の例を示す。
【図６】本発明におけるハンドオーバ処理の他の例を示す。
【図７】本発明におけるハンドオーバ処理の他の例を示す。
【発明を実施するための形態】
【０００７】
図１は、モバイルアシステッドハンドオーバ（ｍｏｂｉｌｅ−ａｓｓｉｓｔｅｄ  ｈａｎｄｏｖｅｒ）を含む無線ネットワーク１０の主な構成例を示す。モバイル機器１６は、この時点では、ここではサービングＡＰ１４ａにて参照されるアクセスポイント（ＡＰ）１４によりサービスされている。モバイル機器１６は、ここではターゲットＡＰ１４ｂにて参照される隣のアクセスポイント（ＡＰ）１４に向かう方向に移動している。サービングＡＰ１４ａとデータを送信及び受信している間、モバイル機器１６は、サービングＡＰ１４ａ及びターゲットＡＰ１４ｂから受信した信号の信号強度を測定する。モバイル機器１６は、移動管理エンティティ（ＭＭＥ）１２に信号強度測定値を提供する。移動管理エンティティ１２は、信号強度測定値に基づき、モバイル機器１６の制御をターゲットＡＰ１４ｂに引き渡すとき（ハンドオーバ）を決定し、ハンドオーバを始動させるためにモバイル機器１６にハンドオーバメッセージを送信する。図１は、移動管理エンティティ１２がアクセスポイント（ＡＰｓ）１４から離れていながら、当然のことながら移動管理エンティティ１２は１又はそれ以上のアクセスポイント（ＡＰｓ）１４と同一場所に配置され得ることを示している。
【０００８】
“ハード”ハンドオーバでは、モバイル機器１６は、ターゲットＡＰ１４ｂとの接続を確立する前にハンドオーバ開始時刻ｔstartにサービングＡＰ１４ａからの接続を切断する。モバイル機器のサービングＡＰ１４ａとの接続が終了した時点で、モバイル機器１６は、ハンドオーバ終了時刻ｔendにターゲットＡＰ１４ｂとの新たな接続が確立されるまでデータを送受信できない。モバイル機器１６がデータを送受信できない時間は、ハンドオーバインタラプト（handover interruption）Ｔintと呼ばれていて、
Ｔint＝ｔend−ｔstart・・・（１）
によって定義される。
【０００９】
モバイル機器１６は、ハンドオーバ処理の一環としてランダムアクセス手続を頻繁に実行する。それゆえ、ｔstartでハンドオーバを初期化した後、モバイル機器１６は、ターゲットＡＰ１４ｂに関連する次のランダムアクセス機会を待つ。ｔ２によって示される次のランダムアクセス機会で、モバイル機器１６は、ハンドオーバを達成するためにランダムアクセス手続を実行する。ハンドオーバが完了した後、モバイル機器１６は、データ通信を再開することができる。
【００１０】
ｔstartでのハンドオーバの開始とｔ２での次のランダムアクセス手続との間の待ち時間は、Ｔwaitによって表され、
Ｔwait＝ｔ２−ｔstart・・・（２）
によって定義される。
【００１１】
この待ち時間Ｔwaitは、０とＴＲＡとの間の範囲であってもよい。ＴＲＡは、二つの連続するランダムアクセス機会の間の最大間隔である。
【００１２】
本発明は、待ち時間Ｔwaitの間を減らすことによってハンドオーバインタラプト時間Ｔintを減らす。ターゲットＡＰ１４ｂにおけるランダムアクセス機会のタイミングは、ハンドオーバのための開始時刻を決定するときが考慮される。より詳しくは、本発明は、一般に待ち時間Ｔwaitを減らすために、ハンドオーバ実行開始（ｔstart）をランダムアクセス手続の開始（ｔ２）に合わせる。これは、次のランダムアクセス機会直前までサービングＡＰ１４ａがモバイル機器１６をサービスし続けられるようにする。
【００１３】
図２は、ハンドオーバインタラプトを減らすためのプロセス５０の一例を示す。ハンドオーバが要求されるとき、次のランダムアクセス機会に関連するタイムオフセットは、ターゲットＡＰ１４ｂで決定される（ブロック５２）。タイムオフセットは、ターゲットＡＰ１４ｂのフレームタイミングに関連する次のランダムアクセス機会のタイミングを含んでいてもよい。タイムオフセットに基づき、ハンドオーバ開始時刻ｔstartが決定され（ブロック５４）、ハンドオーバは、決定された開始時刻ｔstartに実行される（ブロック５６）。決定された開始時刻ｔstartまでハンドオーバ手続の開始を遅らせることによって、本発明は、通常Ｔwaitを排除し、通常ランダムアクセス手続を実行するために必要な時間だけを含むためにハンドオーバインタラプトを減らす。言い換えれば、決定された開始時刻ｔstartまでハンドオーバを遅らせることで、モバイル機器１６を次のランダムアクセス機会直前までデータ通信に参加できるようにする。
【００１４】
図３は、サービング及びターゲットＡＰｓ１４ａ，１４ｂのフレームタイミングが同期しているとき、移動管理エンティティ１２内のプロセッサ１８が、タイムオフセットに基づき開始時刻ｔstartを決定する本発明に係る実施形態の一例を示す。移動管理エンティティ１２が、モバイル機器１６により供給された信号強度測定レポートに基づきハンドオーバが要求されると決定した後、移動管理エンティティ１２はターゲットＡＰ１４ｂからのタイムオフセットをリクエストする。ターゲットＡＰ１４ｂは、次のランダムアクセス機会の開始をターゲットＡＰ１４ｂのフレームタイミングと比較することによってタイムオフセットを決定し、タイムオフセットを移動管理エンティティ１２に送信する。受信されたタイムオフセットに基づき、プロセッサ１８は、ハンドオーバ開始時刻ｔstartを決定する。移動管理エンティティ１２は、ハンドオーバのための開始時刻として決定された開始時刻ｔstartを指定するハンドオーバメッセージをモバイル機器１６に送ることにより、ハンドオーバを始動させる。モバイル機器１６は、通常、ハンドオーバの実行をランダムアクセス手続と合わせるために、指定された開始時刻にハンドオーバを実行する。あるいは、移動管理エンティティ１２は、ハンドオーバ開始時刻ｔstartにハンドオーバメッセージをモバイル機器１６に送り、モバイル機器１６がハンドオーバメッセージを受け取り次第ハンドオーバを実行するようにしてもよい。そのようにすることで、本発明は、モバイル機器１６とサービングＡＰ１４ａとのデータ通信の中断をランダムアクセス手続が始まる直前まで遅らせる。ｔend後はいつでもモバイル機器１６とターゲットＡＰ１４ｂとの間でデータ通信が再開可能となる。
【００１５】
図４は、サービング及びターゲットＡＰｓ１４ａ，１４ｂのフレームタイミングのフレームタイミングが非同期のとき、移動管理エンティティ１２内のプロセッサ１８が、タイムオフセットに基づき開始時刻ｔstartを決定する本発明に係る実施形態の他の例を示す。移動管理エンティティ１２が、モバイル機器１６により供給された信号強度測定レポートに基づきハンドオーバが要求されると決定した後、移動管理エンティティ１２はターゲットＡＰ１４ｂからのタイムオフセットをリクエストする。ターゲットＡＰ１４ｂは、タイムオフセットを決定し、タイムオフセットを移動管理エンティティ１２に送信する。プロセッサ１８は、サービング及びターゲットＡＰｓ１４ａ、１４ｂの間の相対フレームタイミングを決定する。たとえば、プロセッサ１８は、２つのアクセスポイント（ＡＰｓ）１４の間の相対フレームタイミングオフセットを決定するためにサービングＡＰ１４ａのフレームタイミングをターゲットＡＰ１４ｂのフレームタイミングと比較してもよい。あるいは、プロセッサ１８は、モバイル機器１６からの相対フレームタイミングを受信することにより、相対フレームタイミングを決定してもよい。ターゲットＡＰ１４ｂから受信されたタイムオフセット及び相対フレームタイミングに基づき、プロセッサ１８は、ハンドオーバ開始時刻ｔstartを決定する。移動管理エンティティ１２は、ハンドオーバに対する開始時刻として決定された開始時刻ｔstartを指定するハンドオーバメッセージをモバイル機器１６に送ることにより、ハンドオーバを始動させる。モバイル機器１６は、一般に、ハンドオーバの実行をランダムアクセス手続と合わせるために、指定された開始時刻にハンドオーバを実行する。あるいは、移動管理エンティティ１２は、決定された開始時刻ｔstartにハンドオーバメッセージをモバイル機器１６に送り、モバイル機器１６がハンドオーバメッセージを受け取り次第ハンドオーバを実行するようにしてもよい。ｔend後はいつでもモバイル機器１６とターゲットＡＰ１４ｂとの間でデータ通信が再開可能となる。
【００１６】
図５は、サービング及びターゲットＡＰｓ１４ａ，１４ｂのフレームタイミングが非同期のとき、モバイル機器１６内のプロセッサ１８が、タイムオフセットに基づき開始時刻ｔstartを決定する本発明に係る実施形態の他の例を示す。移動管理エンティティ１２が、モバイル機器１６により供給された信号強度測定レポートに基づきハンドオーバが要求されると決定した後、移動管理エンティティ１２はターゲットＡＰ１４ｂからのタイムオフセットをリクエストする。ターゲットＡＰ１４ｂは、タイムオフセットを決定し、タイムオフセットをモバイル機器１６に送信する。ターゲットＡＰ１４ｂは、タイムオフセットをモバイル機器１６にブロードキャストしてもよいし、タイムオフセットを移動管理エンティティ１２及びサービングＡＰ１４ａを介してモバイル機器１６に送られたハンドオーバトリガに含まれた情報要素としてモバイル機器１６に通信してもよい。ターゲットＡＰ１４ｂから受信されたタイムオフセットに基づき、プロセッサ１８は、ハンドオーバ開始時刻ｔstartを決定し、決定された開始時刻ｔstartに自動的にハンドオーバを実行する。モバイル機器１６は、明示的に又は黙示的にサービングＡＰ１４ａにハンドオーバを通知する。ｔend後はいつでもモバイル機器１６とターゲットＡＰ１４ｂとの間でデータ通信が再開可能となる。
【００１７】
図６は、サービング及びターゲットＡＰｓ１４ａ，１４ｂのフレームタイミングが非同期のとき、サービングＡＰ１４ａ内のプロセッサ１８が、タイムオフセットに基づき開始時刻ｔstartを決定する本発明に係る実施形態の他の例を示す。移動管理エンティティ１２が、モバイル機器１６により供給された信号強度測定レポートに基づきハンドオーバが要求されると決定した後、移動管理エンティティ１２はターゲットＡＰ１４ｂからのタイムオフセットをリクエストする。ターゲットＡＰ１４ｂは、タイムオフセットを決定し、タイムオフセットをサービングＡＰ１４ａに送信する。加えて、モバイル機器１６は、サービング及びターゲットＡＰｓ１４の間の相対フレームタイミングを決定し、相対フレームタイミングをサービングＡＰ１４ａに送信する。たとえば、モバイル機器１６は、プロセッサ１８は、アクセスポイント（ＡＰＳ）１４間の相対フレームタイミングオフセットを決定するためにサービングＡＰ１４ａのフレームタイミングをターゲットＡＰ１４ｂのフレームタイミングと比較してもよい。ターゲットＡＰ１４ｂから受信されたタイムオフセットとモバイル機器１６から受信された相対フレームタイミングとに基づき、プロセッサ１８は、ハンドオーバ開始時刻ｔstartを決定する。サービングＡＰ１４ａは、ハンドオーバのための開始時刻として決定された開始時刻ｔstartを指定するハンドオーバメッセージをモバイル機器１６に送信することにより、ハンドオーバを始動させる。モバイル機器１６は、一般に、ハンドオーバの実行をランダムアクセス手続と合わせるために、指定された開始時刻にハンドオーバを実行する。あるいは、サービングＡＰ１４ａは、ハンドオーバ開始時刻ｔstartにハンドオーバメッセージをモバイル機器１６に送り、モバイル機器１６がハンドオーバメッセージを受け取り次第ハンドオーバを実行するようにしてもよい。ｔend後はいつでもモバイル機器１６とターゲットＡＰ１４ｂとの間でデータ通信が再開可能となる。
【００１８】
図７は、サービング及びターゲットアクセスポイントＡＰｓ１４ａ、１４ｂのフレームタイミングが非同期のとき、サービングＡＰ１４ａ内のプロセッサ１８が、タイムオフセットに基づき開始時刻ｔstartを決定する本発明に係る実施形態の他の例を示す。移動管理エンティティ１２が、モバイル機器１６により供給された信号強度測定レポートに基づきハンドオーバが要求されると決定した後、移動管理エンティティ１２はターゲットＡＰ１４ｂからのタイムオフセットをリクエストする。ターゲットＡＰ１４ｂは、タイムオフセットを決定し、タイムオフセットをサービングＡＰ１４ａに送信する。加えて、モバイル機器１６は、サービングＡＰ１４ａに通知された参照フレーム時刻（ｒｅｆｅｒｅｎｃｅ  ｆｒａｍｅ  ｔｉｍｅ）に対するターゲットＡＰ１４ｂのフレームタイミングを決定し、決定されたターゲットＡＰ１４ｂのフレームタイミングをサービングＡＰ１４ａに送信する。それ自身のフレームタイミングと受信されたターゲットＡＰ１４ｂのフレームタイミングとに基づき、プロセッサ１８は、サービングＡＰ１４ａ及びターゲットＡＰ１４ｂの間の相対フレームタイミングを決定する。ターゲットＡＰ１４ｂから受信されたタイムオフセット及び決定された相対フレームタイミングに基づき、プロセッサ１８は、ハンドオーバ開始時刻ｔstartを決定する。サービングＡＰ１４ａは、ハンドオーバのための開始時刻として決定された開始時刻ｔstartを指定するハンドオーバメッセージをモバイル機器１６に送信することにより、ハンドオーバを始動させる。モバイル機器１６は、一般に、ハンドオーバの実行をランダムアクセス手続と合わせるために、指定された開始時刻にハンドオーバを実行する。あるいは、移動管理エンティティ１２は、決定された開始時刻ｔstartにハンドオーバメッセージをモバイル機器１６に送り、モバイル機器１６がハンドオーバメッセージを受け取り次第ハンドオーバを実行するようにしてもよい。ｔend後はいつでもモバイル機器１６とターゲットＡＰ１４ｂとの間でデータ通信が再開可能となる。
【００１９】
本発明は、モバイルアシステッドハンドオーバを背景として記載されたが、本発明は、また、当然のことながら、モバイル機器１６によって自発的に実行されるハンドオーバを含む、ハンドオーバの他の形式にも適用されるであろう。たとえば、モバイル機器１６が受信された信号強度測定値に基づきハンドオーバが要求されると決定した後、モバイル機器１６は、ターゲットＡＰ１４ｂからのタイムオフセットをリクエストしてもよい。ターゲットＡＰ１４ｂにより供給されたタイムオフセットに基づき、モバイル機器１６のプロセッサ１８は、ハンドオーバ開始時刻ｔstartを決定し、決定された開始時刻ｔstartに自発的にハンドオーバを実行する。
【００２０】
本発明は、ターゲットアクセスポイントを含んだターゲットセルにおけるランダムアクセス機会の直前までハンドオーバ実行の開始を遅らせることによって、ハンドオーバインタラプトを減らす。よって、待ち時間Ｔwaitは少なくなる。これにより、モバイル機器１６は、ランダムアクセス手続がはじまるまでデータを送受信し続けることができる。
【００２１】
もちろん、本発明は、発明の本質的特徴から離脱することなくここで詳述した方法以外の方法で実行されてもよい。本実施形態は、全ての点で説明に役立つように意図され、決して限定的なものと考えるべきではなく、かつ添付の特許請求の範囲内に収まるすべての変形及び均等物は、そこに包含されることが意図される。
【図１】
2010522464.tif 000003
【図２】
2010522464.tif 000004
【図３】
2010522464.tif 000005
【図４】
2010522464.tif 000006
【図５】
2010522464.tif 000007
【図６】
2010522464.tif 000008
【図７】
2010522464.tif 000009
【国際調査報告】
2010522464.tif 000010
2010522464.tif 000011
2010522464.tif 000012